(57)【要約】【課題】  ホット・スワップ・ファンモジュールの体積を有効に縮小し、システムのスペース制限の要求に符合する、ホット・スワップ・ファンとその接続装置を提供する。【解決手段】  本発明のホット・スワップ・ファンの接続装置によれば、ケーシングだけでファンの一側面に固定しているため、従来のようにファンを支持枠に埋め込む必要がなく、システムのスペース制限の要求に符合するように、ホット・スワップ・ファンモジュールの体積を有効に縮小することができる。同時に、本発明によれば、ケーシングには、凸部22を有する弾片部を一体成形に設けており、この凸部を有する弾片部を押圧することにより、ケーシングを標準仕様のファンに係合させることができる。従って、公知技術に使用されるリベットやねじのような構成部材を必要とせず、構成部材の管理コストの低減や組立工程の簡素化等の優れた効果を達成できる。【選択図】  図2
2005147119.tif 000002
【特許請求の範囲】
【請求項１】
ファンに取り付けられ、システム上での前記ファンのホットスワップを可能にする、ホット・スワップ・ファンの接続装置であり、
前記ファンは少なくとも一つの凹孔、又は突起を設けたハウジングを有し、
前記接続装置は、
前記ファンが前記システムに取り付けられる際に、前記ファンと前記システムが電気接続を形成できるよう、ファンと電気接続を形成している、少なくとも一つの端子と、
前記ファンに組立てられる際に前記ハウジングの一側面を覆う第1表面と、前記第1表面の反対側に位置する第2表面と、前記ファンと前記端子が互いに電気接続を形成する配線の収納に用いられる凹部と、を有するケーシングと、
を有することを特徴とする、ホット・スワップ・ファンの接続装置。
【請求項２】
前記ケーシングが扁平な本体部と、前記本体部の少なくとも1つの端部からそれぞれ立設されたカバープレートと、を有し、前記ケーシングをややL字型又U文形の構造にさせることを特徴とする、請求項1に記載のホット・スワップ・ファンの接続装置。
【請求項３】
更に、前記ファン又は前記端子と電気接続し、前記ファンの作動状態を表示する少なくとも一つのLEDを有し、前記端子と前記LEDが前記第2表面、或いは前記カバープレートに設置されていることを特徴とする、請求項2に記載のホット・スワップ・ファンの接続装置。
【請求項４】
更に、一端部は前記第1表面又は前記カバープレートに設置され、他端部には凸部又は孔が設置され、前記凸部又は前記孔が、前記ハウジングの前記凹孔又は突起と嵌め合わせることができる、少なくとも1つの弾片部を有し、且、前記弾片部の延伸方向が前記第1表面と90度以下の角度を成していることを特徴とする、請求項1に記載のホット・スワップ・ファンの接続装置。
【請求項５】
少なくとも一つの凹孔、又は突起を設けたハウジングを有するファンと、
前記ファンに取り付けられ、システム上での前記ファンのホットスワップを可能にする接続装置と、を有するホット・スワップ・ファンであり、
前記接続装置が、
前記ファンが前記システムに取り付けられる際に、前記ファンと前記システムが電気接続を形成できるよう、ファンと電気接続を形成している、少なくとも一つの端子と、
前記ファン又は前記端子と電気接続し、前記ファンの作動状態を表示する少なくとも一つのLEDと、
前記ファンに前記ケーシングが組立てられる際に前記ハウジングの一側面を覆う第1表面と、第1表面の反対側に位置する第2表面と、前記ファンと前記端子が互いに電気接続を形成する配線の収納に用いられる凹部と、を有するケーシングと、
を有し、
前記端子と前記LEDが前記第2表面、或いは前記カバープレートに設置されていることを特徴とするホット・スワップ・ファン。
【発明の詳細な説明】
【技術分野】
【０００１】
本発明はファンとその接続装置に関し、特にホット・スワップ・ファンとその接続装置に関する。
【背景技術】
【０００２】
電子製品が作動する際、本体が熱を発しシステム全体の環境温度を上げるため、システムの安定度を下げ、故障を引き起こす。このため、放熱装置によって、システムを安定した環境温度で作動するように維持する必要がある。目下最もよく使われる放熱装置は放熱ファンである。システムの作動を停止させずに故障した放熱ファンを取り替え、システムが24時間作動できるようにするため、ホットスワップ可能な放熱ファンが出来上がった。
【０００３】
台湾特許公告第472917号では、引き出し形のホット・スワップ・ファンのサーバを開示している。図1に示すように、ホット・スワップ・ファンモジュールは、支持枠11と、ホット・スワップ・ファン12と、差込型回路板13とを備えている。ホット・スワップ・ファン12はプラスチック・リベット14で支持枠11内に固定され、差込型回路板13はねじ15で支持枠11上に固定されている。支持枠11にはステンレス板ばね16が設置されており、支持枠11をサーバに固定するのに用いられる。ホット・スワップ・ファン12とサーバに取り付けられたホット・スワップ回路との間には、差込型回路板13により、ホット・スワップを行う。
【発明の開示】
【発明が解決しようとする課題】
【０００４】
前記公知のホット・スワップ・ファン構造によれば、ホット・スワップ・ファン12全体が支持枠11の中に埋め込まれるばかりでなく、サーバ側に接続するために、差込型回路板13が支持枠11の外側へ突出しており、故にホット・スワップ・ファンモジュール全体の寸法がホット・スワップ・ファン自身より大きくなり、全体の寸法を有効に縮小できず、サーバ側にスペースの制限がある場合、その要求を満足することができない。同時に、前記構造は構成部材が多く、構成部材の管理コストが高いばかりでなく、組立工程の繁雑により製品品質を下げるリスクがある。
【０００５】
以上に説明したように、如何にホット・スワップ・ファンモジュール全体の寸法を有効に縮小すると共に、その構成部材及び組立工程を簡素化することは、解決すべき課題である。
【０００６】
本発明は、前記課題に鑑みてなされたものであって、その目的は、ホット・スワップ・ファンモジュールの体積を有効に縮小し、システムのスペース制限の要求に符合する、ホット・スワップ・ファンとその接続装置を提供することにある。
【０００７】
本発明のもう一つの目的は、ホット・スワップ・ファンモジュールの構成部材及び組立工程を簡素化したホット・スワップ・ファンとその接続装置の製造プロセスを提供することにある。
【課題を解決するための手段】
【０００８】
上述の目的を果たすため、本発明のホット・スワップ・ファンの接続装置は、少なくとも一つの端子とケーシングを有する。前記端子はファンと電気接続を形成し、これによって、前記ファンはシステムに取付けられる際に、前記システムと電気接続を形成できる。前記ケーシングを前記ファンに取り付ける際、前記ファンのハウジングの一側面に密着させることができる。前記ケーシングが扁平な本体部及び本体部の少なくとも1つの端部から、それぞれ立設されたカバープレートを有し、前記ケーシング全体をややL字形、又はU字形の構造にさせる。且、前記ケーシングには、前記端子と前記ファンとの間の電気接続用の配線を収容するための凹部を有する。また、本発明のホット・スワップ・ファンの接続装置は、更に、少なくとも一つのLEDを有し、前記ファン又は前記端子と電気接続して、前記ファンの作動状態を表示する。
【０００９】
本発明のホット・スワップ・ファンは、ファンと、接続装置とを有する。前記ファンが少なくとも1つの凹孔又は突起を設けたハウジングを有する点以外、従来のファンと同じ機能と作動方法を備えている。前記接続装置は上述の接続装置と同じであり、前記ファンに取り付けられるため、前記ファンがシステムからのホット・スワップを可能にしている。
【発明の効果】
【００１０】
本発明のホット・スワップ・ファンとその接続装置によれば、ケーシングがファンのハウジングの一側面だけに密着しているため、有効にホット・スワップ・ファンモジュールの体積を縮小することができ、システムのスペース制限の要求に符合させることができる。また、本発明のホット・スワップ・ファンとその接続装置はケーシングと端子のみによって構成されているため、部材及び組立工程を簡素化することができる。
【発明を実施するための最良の形態】
【００１１】
以下、図面を参照して本発明の好適な実施例であるホット・スワップ・ファンとその接続装置について説明する。
【実施例１】
【００１２】
図2及び図3に示すように、本発明のホット・スワップ・ファンの接続装置は、ケーシング20と、少なくとも一つの端子28を有する。ケーシング20は扁平な本体部20A及び本体部20Aの両端からそれぞれ立設されたカバープレート25を有し、前記ケーシング全体をややU字形の構造にさせ、ファン30の一側面と係合できる。本体部20Aとカバープレート25は様々な方法で接続できる。例えば、本実施例では本体部20Aとカバープレート25を一体成形に結合させる。ケーシング20の本体部20Aがファン30に対向する表面は第1表面と称し、本体部20Aの第1表面の反対側の表面は第2表面と称する。カバープレート25と本体部20Aの第1表面はやや垂直となっており、図4に示すように、ケーシング20がファン30と係合する際、ケーシング20とファン30との間の隙間を遮蔽できる。もし、カバープレート25が本体部20Aの一端だけから延伸されている場合、ケーシング20はL字形構造となる。本体部20Aの第1表面は、少なくとも1つの弾片部21を有し、弾片部21の一端部は本体部20Aに連結され、他端部の外側には斜面を有する凸部22を設けている。ケーシング20をファン30に組み合わせた際、前記斜面は、凸部22をファン30の凹孔31と係合させるよう案内することができる。これによって、ケーシング20をファン30から離脱しないよう、ファン30に係合させることが可能となる。
【００１３】
弾片部は本体部20Aの第1表面に設けられ、その延伸方向は図2の弾片部21のように、第1表面と90度以下の角度を成し、又は、図2の弾片部21’の様に、第1表面に直交する。弾片部21、21’は同じように、様々な方法で本体部20Aと接続できる。例えば、本実施例では一体成形に結合させる。弾片部21は、その固定端から自由端までの長さが、弾片部21’の同長さより長いので、弾片部21’より良い弾性を有する。しかし、ファン30の配線レイアウトの邪魔になることを避けるため、複数の弾片部の内の一つが弾片部21’の形を採用してもよい。
【００１４】
本体部20Aには、端子28を中に設置する端子孔23があり、ファン30に向いた端子28の一端部が配線（図示せず）を介してファン30と電気接続でき、他端部がケーシング20の本体部20Aの第2表面に露出される。ファン30がシステムに取り付けられたとき、この端子28により、ファン30はそのシステムと電気接続できる。
【００１５】
本体部20Aは、更に、LED（Light Emitting Diode, LED）29を中に設置するためのLED孔24が備えられている。LED29の発光端は本体部20Aの第2表面に面し、発光によってファン30の作動状態を表示できる。他端部は本体部20Aの第１表面に面し、ファン30又は端子28と電気接続される。即ち、LED29はファン30又はシステムの信号によって発光状態を制御する。
【００１６】
本体部20Aの第1表面側には、更に、凹部26が設けられ、ファン30、端子28、LED29が互いに電気接続を形成する配線(図示せず)の収納に用いられる。同時に、凹部26の中に、複数の突起部27を設け、これらの突起部27の間には、配線を固定するために、複数の配線整理溝を形成する。
【００１７】
図4に示すように、本発明のホット・スワップ・ファンは、ファン30と接続装置40を備える。ファン30は、少なくとも1つの凹孔を設けたハウジングを有する他、従来のファンと同じ機能と作動方法を備えている。接続装置40の構造特徴及び接続装置40とファン30の組み立て方法は上述したとおりである。
【００１８】
本発明のホット・スワップ・ファンの接続装置によれば、ケーシング20だけでファン30の一側面に固定しているため、従来のようにファンを支持枠に埋め込む必要がなく、システムのスペース制限の要求に符合するように、ホット・スワップ・ファンモジュールの体積を有効に縮小することができる。同時に、本発明によれば、ケーシング20には、凸部22を有する弾片部21を一体成形に設けており、この凸部22を有する弾片部21を押圧することにより、ケーシング20を標準仕様のファン30に係合させることができる。従って、公知技術に使用されるリベット14やねじ15のような構成部材を必要とせず、構成部材の管理コストの低減や組立工程の簡素化等の優れた効果を達成できる。
【００１９】
注意すべきは、実施例1において端子はホット・スワップ・ファンモジュールの右側下方に設置されているが、システムの需要に応じてホット・スワップ・ファンモジュールの左側、又は上下側に変更してもよい。又、ファンの各種の作動状態を表示するために、LEDは複数であってもよい。この他、端子、弾片部、LEDは、システムの需要に応じてカバープレート上に設置してもよい。例えば、端子を第2表面に、LEDをカバープレートに、或いは端子とLEDをそれぞれ両端に対応するカバープレート上に設置してもよい。更に、ケーシングとファンの係合につき、前記方法の代わりに、凹孔を弾片部に、且つ凸部をファンのハウジングにそれぞれ設け、この両者を係合させることもできる。システムに特殊な需要があった場合は、リベットやねじのような部材で接合しても良い。実施例では一体成形のケーシングを用いて説明しているが、故障排除の方便などの考慮から、ケーシングを上下の二段、又はこれ以上の段数に分割することも可能である。更には、図5に示すように、カバープレートを使用せずに、平板状のケーシングを直接ファンと組み合わせることも可能である。
【００２０】
前記実施例による説明は、本発明の内容を簡単に説明するための内容に過ぎなく、本発明をそれらの構造に狭義的に制限するものではない。本発明の要旨を逸脱しない範囲の設計変更等があっても本発明に含まれる。
【図面の簡単な説明】
【００２１】
【図１Ａ】従来のホット・スワップ・ファンモジュールを示す図である。
【図１Ｂ】従来のホット・スワップ・ファンモジュールを示す図である。
【図２】本発明実施例1のホット・スワップ・ファンモジュールの接続装置の正視図である。
【図３】本発明実施例を応用したホット・スワップ・ファンモジュールの分解図である。
【図４】本発明実施例1のホット・スワップ・ファンモジュールを組合せた図である。
【図５】本発明の実施例を変化させたホット・スワップ・ファンモジュールを組合せた図である。
【符号の説明】
【００２２】
11    支持枠
12    ホット・スワップ・ファン
13    差込型回路板
14    リベット
15    ねじ
16    ステンレス板ばね
20    ケーシング
20A   本体部
21    弾片部
22    凸部
23    端子孔
24    LED孔
25    カバープレート
26    凹部
27    突起部
28    端子
29    LED
30    ファン
31    凹孔
40    接続装置
【図１Ａ】
2005147119.tif 000003
【図１Ｂ】
2005147119.tif 000004
【図２】
2005147119.tif 000005
【図３】
2005147119.tif 000006
【図４】
2005147119.tif 000007
【図５】
2005147119.tif 000008